(57)【要約】【課題】  インターロック機構に連動したシャッターを固定し、手動操作を容易にする。【解決手段】  手動ハンドル３で回転し、接点を開閉する操作軸１１と、前記操作軸１１の軸方向に開口孔４を有する正面パネル１と、前記開口孔４を覆うように配置されたシャッター２０と、インターロック条件がそろったときに、前記開口孔４が開放するまで前記シャッター２０が移動できるように、励磁されてインターロックピン１５が動作するインターロックコイル１４と、前記インターロックコイル１４を励磁するインターロックスイッチ２２と、前記インターロックスイッチ２２に連結された可動部材２４とを備え、前記可動部材２４と前記正面パネル１間で前記シャッター２０を挟持したことを特徴とする。【選択図】  図１
2005197168.tif 000002
【特許請求の範囲】
【請求項１】
手動ハンドルで回転し、開閉器の接点を開閉する操作軸と、
前記操作軸の軸方向に開口孔を有する正面パネルと、
前記開口孔を覆うように前記正面パネルと前記操作軸間に配置されるとともに、前記操作軸と前記手動ハンドルとの係合を阻止するシャッターと、
インターロック条件がそろったときに、前記開口孔が開放するまで前記シャッターが移動できるように、励磁されてインターロックピンが動作するインターロックコイルと、
前記インターロックコイルを励磁するインターロックスイッチと、
前記インターロックスイッチに連結されるとともに、前記正面パネルと対向して設けられた可動部材とを備え、
前記可動部材と前記正面パネル間で前記シャッターを挟持したことを特徴とする開閉器の手動操作装置。
【請求項２】
前記可動部材は、前記正面パネルに固定された押しボタンの可動軸に固定された止め板であることを特徴とする請求項１に記載の開閉器の手動操作装置。
【請求項３】
前記シャッターおよび前記可動部材の互いが接触する面の、少なくとも一方に凸凹部を設けたことを特徴とする請求項１に記載の開閉器の手動操作装置。
【発明の詳細な説明】
【技術分野】
【０００１】
本発明は、遮断器や接地開閉器のような開閉器の手動操作を改善し得る開閉器の手動操作装置に関する。
【背景技術】
【０００２】
従来のこの種の開閉器における操作装置は、電動操作と手動操作とがあり、点検時などにおいては手動操作が用いられることが多い。この手動操作においては、誤操作防止の観点からインターロック機構が設けられている（例えば、特許文献１参照。）。
【０００３】
図４（ａ）（ｂ）に示すように、開閉器の手動操作装置は、正面パネル１の図示上下を境に、シャッター部２ａとインターロック機構部２ｂとに分かれて構成されている。
【０００４】
シャッター部２ａの正面パネル１には、手動ハンドル３を挿入する開口孔４が設けられ、この開口孔４は、正面パネル１と平行に配置した手動ハンドル３の挿入を阻止するシャッター５で覆われている。このシャッター５は、図示上部がＵ字状に折り曲げられた折り曲げ部５ａを有している。そして、シャッター５には、正面パネル１に設けられた図示上下方向に伸びた操作溝６内を移動する操作ピン７が正面パネル１から外部に突出して設けられている。また、シャッター５が直線的に移動できるように、正面パネル１に設けられたガイド溝８内を滑動するガイドピン９が設けられている。更に、開口孔４を常時覆うように図示下方向に付勢された復帰バネ１０が設けられている。
【０００５】
また、開口孔４の直線上には、軸方向を平行に配置した操作軸１１が設けられ、この操作軸１１を回転させることにより操作機構１２が動作し、図示しない開閉器の接点を開閉できるようになっている。
【０００６】
インターロック機構部２ｂには、シャッター５の移動によって動作するマイクロスイッチ１３、およびマイクロスイッチ１３に連動したインターロックコイル１４が設けられている。インターロックコイル１４には、励磁されると後退し、非励磁になると突出するインターロックピン１５が設けられている。
【０００７】
インターロックコイル１４は、開閉器の電源系統に接続されている他の開閉器とのインターロック条件がそろったときに限り、励磁可能となるようになっている。インターロック条件とは、例えばこの開閉器が接地開閉器であれば、電源系統に接続してある遮断器や断路器などがいずれも開路状態のとき、この接地開閉器を操作可能とするものである。
【０００８】
そして、インターロック条件がそろえば、図５に示すように、操作ピン７を操作してシャッター５を図示矢印方向に移動させると、マイクロスイッチ１３が動作する。マイクロスイッチ１３が動作すると、インターロックコイル１４が励磁され、インターロックピン１５が後退する。これにより、シャッター５の折り曲げ部５ａを正面パネル１とインターロックピン１５間に挿入することができる。また、操作ピン７を操作溝６の図示最上部まで移動させると、シャッター５で覆われていた開口孔４を開放することができる。そして、この開口孔４に手動ハンドル３を挿入し、操作軸１１と係合すれば、操作機構１２を操作することができる。
【０００９】
なお、インターロック条件がそろっていなければ、マイクロスイッチ１３を動作させても、インターロックコイル１４は励磁されない。このため、シャッター５の折り曲げ部５ａがインターロックピン１５に当接し、開口孔４を開放することができず、誤操作を防止できるようになっている。
【特許文献１】特開２００３−９２０４９号公報  （第２ページ、図１）
【発明の開示】
【発明が解決しようとする課題】
【００１０】
上記の従来の開閉器の手動操作装置においては、次のような問題がある。
【００１１】
操作ピン７を操作して開口孔４から手動ハンドル３を挿入する場合、操作ピン７を常時図示上方向に持ち上げていなければならない。これは、開口孔４を常時覆うように付勢された復帰バネ１０に打ち勝つ操作となる。また、手動ハンドル３を回転させる場合にも、操作ピン７を常時図示上方向に持ち上げていなければならない。この持ち上げる操作を止めると、手動ハンドル３にシャッター５の端部が当接し、手動ハンドル３の回転動作を阻害する。
【００１２】
このため、手動操作で操作機構１２を動作させようとすると、操作ピン７を常時持ち上げる操作と、手動ハンドル３を回転させる操作との両操作が必要であり、困難な作業であった。従って、手動操作の作業を容易にし得ることが望まれていた。
【００１３】
本発明は上記問題を解決するためになされたもので、開閉器の手動操作を容易にし得る開閉器の手動操作装置を提供することを目的とする。
【課題を解決するための手段】
【００１４】
上記目的を達成するために、本発明の開閉器の手動操作装置は、手動ハンドルで回転し、開閉器の接点を開閉する操作軸と、前記操作軸の軸方向に開口孔を有する正面パネルと、前記開口孔を覆うように前記正面パネルと前記操作軸間に配置されるとともに、前記操作軸と前記手動ハンドルとの係合を阻止するシャッターと、インターロック条件がそろったときに、前記開口孔が開放するまで前記シャッターが移動できるように、励磁されてインターロックピンが動作するインターロックコイルと、前記インターロックコイルを励磁するインターロックスイッチと、前記インターロックスイッチに連結されるとともに、前記正面パネルと対向して設けられた可動部材とを備え、前記可動部材と前記正面パネル間で前記シャッターを挟持したことを特徴とする。
【発明の効果】
【００１５】
本発明によれば、インターロック条件がそろったときに、手動操作装置の正面パネルとインターロックスイッチに連結された可動部材間で誤操作防止のシャッターを安定した保持力で挟持しているので、移動させたシャッターを保持する操作が不要となり、開口孔に手動ハンドルを挿入し、操作機構を操作する作業を容易にすることができる。
【発明を実施するための最良の形態】
【００１６】
以下、本発明による開閉器の手動操作装置を図面を参照して説明する。
【実施例１】
【００１７】
先ず、本発明の実施例１に係る開閉器の手動操作装置を図１および図２を参照して説明する。図１は、本発明の実施例１に係る開閉器の手動操作装置の操作不可を示す図で（ａ）正面図、（ｂ）断面図である。図２は、本発明の実施例１に係る開閉器の手動操作装置の操作可能を示す断面図である。なお、各図において、従来と同様の構成部分については、同一符号を付した。
【００１８】
図１（ａ）（ｂ）に示すように、開閉器の手動操作装置は、正面パネル１の図示上下を境に、シャッター部２ａとインターロック機構部２ｂとに分かれて構成されている。
【００１９】
シャッター部２ａの正面パネル１には、手動ハンドル３を挿入する開口孔４が設けられ、この開口孔４は、操作装置内に正面パネル１と平行に配置した手動ハンドルの挿入を阻止する板状のシャッター２０で覆われている。シャッター２０には、正面パネル１に設けられた図示上下方向に伸びた操作溝６内を移動する操作ピン７が正面パネル１から外部に突出して設けられている。また、シャッター２０が直線的に移動できるように、正面パネル１に設けられたガイド溝８内を滑動するガイドピン９が設けられている。更に、開口孔４をシャッター２０で常時覆うように図示下方向に付勢された復帰バネ１０が設けられている。
【００２０】
そしてシャッター２０の頂部には、Ｕ字状に開放された溝部２０ａが設けられている。また、シャッター２０の長手方向の中間部には、操作装置内方向に突出した断面Ｌ字状の突出部２０ｂが設けられている。
【００２１】
また、開口孔４の直線上には、軸方向を平行に配置した操作軸１１が設けられ、この操作軸１１を回転させることにより操作機構１２が動作し、図示しない開閉器の接点を開閉できるようになっている。
【００２２】
インターロック機構部２ｂには、正面パネル１に固定された押しボタン２１、および押しボタン２１に連動して動作するインターロックスイッチ２２が設けられている。押しボタン２１には、移動自在の可動軸２３の操作装置内端部に止め板２４が固定されており、また、この止め板２４に対向して、インターロックスイッチ２２の可動ピン２５が設けられている。この可動ピン２５は、インターロックスイッチ２２内のバネ２６により常時突出するようになっている。なお、押しボタン２１からインターロックスイッチ２２までを直線上に並べて配置すれば、伝達ロスが少なく、確実にインターロックスイッチ２２を動作させることができるので好ましい。
【００２３】
ここで、止め板２４を、シャッター２０を挟持する可動部材、そして止め板２４と対向する正面パネル１の面を、シャッター２０を挟持する固定部材とする。
【００２４】
また、インターロックスイッチ２２で励磁されるインターロックコイル１４が、このインターロックスイッチ２２とインターロック機構部２ｂ間に設けられている。インターロックコイル１４には、励磁されると後退し、非励磁になると突出するインターロックピン１５が設けられている。後退したインターロックピン１５と正面パネル１間には、シャッター２０の突出部２０ｂが挿入できるようになっている。
【００２５】
インターロックコイル１４は、開閉器の電源系統に接続されている他の開閉器とのインターロック条件がそろったときに限り、励磁可能となるようになっている。インターロック条件とは、例えばこの開閉器が接地開閉器であれば、電源系統に接続してある遮断器や断路器などがいずれも開路状態のとき、この接地開閉器を操作可能とするものである。
【００２６】
そして、インターロック条件がそろえば、図２に示すように、先ず押しボタン２１を正面パネル１方向に押し、可動軸２３、止め板２４および可動ピン２５を移動させてインターロックスイッチ２２を動作させる。インターロックスイッチ２２が動作すると、インターロックコイル１４が励磁され、インターロックピン１５が後退する。次いで、押しボタン２１を押した状態で、操作ピン７を操作溝６に沿って図示矢印方向に移動させる。このとき、インターロックピン１５が後退しているので、シャッター２０の突出部２０ｂを正面パネル１とインターロックピン１５間に挿入することができる。
【００２７】
同時に、正面パネル１と止め板２４間が開離しているので、この間にシャッター２０を挿入しながら、溝部２０ａを可動軸２３に嵌め込む。そして、押しボタン２１を放すと、インターロックスイッチ２２内のバネ２６のバネ力により、可動ピン２５および止め板２４が正面パネル１方向に戻され、シャッター２０が止め板２４と正面パネル１間に挟持される。この止め板２４は、インターロックスイッチ２２内のバネ２６により正面パネル１方向に常時押し付けられている。ここで、復帰バネ１０よりもバネ２６のバネ力を大きくすれば、シャッター２０を強固な保持力で挟持することができるので好ましい。
【００２８】
これにより、操作ピン７を操作溝６の図示最上部まで移動させると、シャッター２０で覆われていた開口孔４を開放することができる。また、シャッター２０は止め板２４と正面パネル１間に挟持されているので、開口孔４の開放状態が保たれる。そして、この開口孔４に手動ハンドル３を挿入し、操作軸１１と係合することができる。
【００２９】
開閉器の開閉操作が終われば、手動ハンドル３を取外し、押しボタン２１を軽く押すことにより、止め板２４が正面パネル１と開離する方向に移動するので、シャッター２０の挟持が開放される。そして、復帰バネ１０のバネ力でシャッター２０が図示下方向に移動し、開口孔４が覆われる。
【００３０】
なお、インターロック条件がそろっていなければ、押しボタン２１を押してもインターロックスイッチ２２が動作せず、インターロックコイル１４は励磁されない。このため、シャッター２０を移動させても突出部２０ｂがインターロックピン１５に当接し、開口孔４を開放することができない。このため、開口孔４に手動ハンドル３を挿入することができず、誤操作を防止できる。
【００３１】
上記実施例１によれば、インターロックコイル１４を励磁するインターロックスイッチ２２を、正面パネル１に固定した押しボタン２１で動作させ、この押しボタン２１の可動軸２３に固定された止め板２４と正面パネル１間でシャッター２０を安定した保持力で挟持しているので、移動させたシャッター２０を保持する操作が不要となり、開放された開口孔４に手動ハンドル３を挿入し、操作機構１２の操作を容易にすることができる。
【００３２】
なお、上記実施例１では、インターロックスイッチ２２内のバネ２６により、止め板２４を正面パネル１側に常時押し付ける構成で説明したが、押しボタン２１内にバネを設け、止め板２４が正面パネル１側に常時引き寄せられるようにしてもよい。
【実施例２】
【００３３】
次に、本発明の実施例２に係る開閉器の手動操作装置を図３を参照して説明する。図３は、本発明の実施例２に係る開閉器の手動操作装置のシャッター挟持部を示す拡大図で（ａ）正面図、（ｂ）断面図である。なお、この実施例２が実施例１と異なる点は、シャッターを挟持する保持力を増大させたことである。図３において、実施例１と同様の構成部分においては、同一符号を付し、その詳細な説明を省略する。
【００３４】
図３に示すように、シャッター２０の溝部２０ａの周囲には、例えばサンドブラスト、ローレットのような加工による微少な凸凹部２０ｃを設けている。また、止め板２４がシャッター２０と対向する面にも同様の凸凹部２４ａ設けている。なお、これらの凸凹部２０ｃ、２４ａは、少なくとも一方に設けていればよい。
【００３５】
上記実施例２によれば、実施例１の効果の他に、シャッター２０を止め板２４と正面パネル１間で挟持したとき、互いの凸凹面２０ｃ、２４ａが接触するので、摩擦力が大きくなりシャッター２０を挟持したときの保持力が増大する。
【００３６】
なお、上記実施例２では、シャッター２０の挟持を、正面パネル１自体の面で説明したが、止め板２４と対向する正面パネル１の面に、摩擦力が大きくなるような例えばゴムシートを貼ってもよい。
【図面の簡単な説明】
【００３７】
【図１】本発明の実施例１に係る開閉器の手動操作装置の操作不可を示す図で（ａ）正面図、（ｂ）断面図。
【図２】本発明の実施例１に係る開閉器の手動操作装置の操作可能を示す断面図。
【図３】本発明の実施例２に係る開閉器の手動操作装置のシャッター挟持部を示す拡大図で（ａ）正面図、（ｂ）断面図。
【図４】従来の開閉器の手動操作装置の操作不可を示す図で（ａ）正面図、（ｂ）断面図。
【図５】従来の開閉器の手動操作装置の操作可能を示す断面図。
【符号の説明】
【００３８】
１  正面パネル
２ａ  シャッター部
２ｂ  インターロック機構部
３  手動ハンドル
４  開口孔
５、２０  シャッター
５ａ  折り曲げ部
６  操作溝
７  操作ピン
８  ガイド溝
９  ガイドピン
１０  復帰バネ
１１  操作軸
１２  操作機構
１３  マイクロスイッチ
１４  インターロックコイル
１５  インターロックピン
２０ａ  溝部
２０ｂ  突出部
２０ｃ、２４ａ  凸凹部
２１  押しボタン
２２  インターロックスイッチ
２３  可動軸
２４  止め板
２５  可動ピン
２６  バネ
【図１】
2005197168.tif 000003
【図２】
2005197168.tif 000004
【図３】
2005197168.tif 000005
【図４】
2005197168.tif 000006
【図５】
2005197168.tif 000007